【手続補正書】
【提出日】平成17年2月25日(2005.2.25)
【手続補正１】
【補正対象書類名】明細書
【補正対象項目名】特許請求の範囲
【補正方法】変更
【補正の内容】
【特許請求の範囲】
【請求項１】
クライアントＰＣと、画像形成装置と、課金サーバとを有し、前記クライアントＰＣは前記画像形成装置を介して前記課金サーバに接続され、前記画像形成装置に直接情報を送信する課金システムにおいて、
前記画像形成装置は、印刷履歴を記録する印刷履歴記録手段と、前記印刷履歴課金サーバに送信する印刷履歴を前記課金サーバに送信する印刷履歴送信手段とを有することを特徴とする課金システム。
【請求項２】
前記画像形成装置は、
前記クライアントＰＣの要求により印刷処理した場合、前記クライアントＰＣの情報と、印刷した日付と、印刷した用紙の種類とを前記印刷履歴として記録した後に前記課金サーバに送信することを特徴とする課金システム。
【請求項３】
前記画像形成装置は、
印刷履歴を記録せずに前記課金サーバに送信することを特徴とする請求項１記載の課金システム。
【請求項４】
前記画像形成装置は、
前記印刷履歴を前記課金サーバに送信する場合、前記課金サーバが前記印刷履歴を受信するか否かを判断する受信判断手段を有することを特徴とする請求項１記載の課金システム。
【請求項５】
前記画像形成装置は、
前記印刷履歴を基に簡易情報を作成する簡易情報作成手段と、前記簡易情報を一時的に記録する簡易情報記録手段と、前記課金情報記録手段により記録された前記簡易情報を前記課金サーバに送信する簡易情報送信手段とを有することを特徴とする請求項４記載の課金システム。
【請求項６】
前記画像形成装置は、
前記受信手段により前記課金サーバが前記印刷履歴を受信しないと判断した場合、前記印刷履歴を前記課金サーバに送信せずに、前記印刷履歴の一部であるクライアントＰＣの情報と、印刷合計枚数とのデータを有する前記簡易情報を作成し、記録することを特徴とする請求項５記載の課金システム。
【請求項７】
前記画像形成装置は、
前記簡易情報記録手段により前記簡易情報を記録する際に、空き容量が十分に存在するか否かを判断する容量判断手段と、前記簡易情報記録手段により記録された前記簡易情報を消去する印刷履歴消去手段とを有することを特徴とする請求項５又は６記載の課金システム。
【請求項８】
前記画像形成装置は、
前記容量判断手段により前記空き容量が前記簡易情報を記録するために十分ではないと判断された場合、前記簡易情報記録手段により記録された前記簡易情報を印刷出力した後に消去することを特徴とする請求項７記載の課金システム。
【請求項９】
前記課金サーバは、
前記印刷履歴を基に課金情報を作成する第一の課金情報作成手段と、前記第一の課金情報作成手段により作成された前記課金情報を記録する第一の課金情報記録手段とを有することを特徴とする請求項１記載の課金システム。
【請求項１０】
前記課金サーバは、
前記簡易情報を基に課金情報を作成する第二の課金情報作成手段と、前記第二の課金情報作成手段により作成された前記課金情報を記録する第二の課金情報記録手段とを有することを特徴とする請求項９記載の課金システム。
【手続補正２】
【補正対象書類名】明細書
【補正対象項目名】０００８
【補正方法】変更
【補正の内容】
【０００８】
【課題を解決するための手段】
かかる目的を達成するため、請求項１の発明は、クライアントＰＣと、画像形成装置と、課金サーバとを有し、前記クライアントＰＣは前記画像形成装置を介して前記課金サーバに接続され、前記画像形成装置に直接情報を送信する課金システムにおいて、前記画像形成装置は、印刷履歴を記録する印刷履歴記録手段と、前記印刷履歴課金サーバに送信する印刷履歴を前記課金サーバに送信する印刷履歴送信手段とを有することを特徴とする。
【手続補正３】
【補正対象書類名】明細書
【補正対象項目名】００１０
【補正方法】変更
【補正の内容】
【００１０】
また、請求項２の発明によれば、請求項１記載の課金システムにおいて、画像形成装置は、前記クライアントＰＣの要求により印刷処理した場合、前記クライアントＰＣの情報と、印刷した日付と、印刷した用紙の種類とを前記印刷履歴として記録した後に前記課金サーバに送信することを特徴とする。
【手続補正４】
【補正対象書類名】明細書
【補正対象項目名】００１１
【補正方法】変更
【補正の内容】
【００１１】
従って、請求項２の発明によれば、クライアントの要求により印刷処理した場合、画像形成装置は、クライアントの情報と印刷した日付と印刷した用紙の種類と枚数とを印刷履歴として記録した後に、課金サーバに送信することによって、ユーザの要求に応じた課金情報を作成することが可能となる。
【手続補正５】
【補正対象書類名】明細書
【補正対象項目名】００１２
【補正方法】変更
【補正の内容】
【００１２】
また、請求項３の発明によれば、請求項１記載の課金システムにおいて、前記画像形成装置は、印刷履歴を記録せずに前記課金サーバに送信することを特徴とする。
【手続補正６】
【補正対象書類名】明細書
【補正対象項目名】００１３
【補正方法】変更
【補正の内容】
【００１３】
従って、請求項３の発明によれば、画像形成装置は、印刷履歴を記録せずに課金サーバに送信することによって、画像形成装置に記録装置が設置されていない場合にも課金処理を実行することが可能となる。
【手続補正７】
【補正対象書類名】明細書
【補正対象項目名】００１４
【補正方法】変更
【補正の内容】
【００１４】
また、請求項４の発明によれば、請求項１記載の課金システムにおいて、画像形成装置は、前記印刷履歴を前記課金サーバに送信する場合、前記課金サーバが前記印刷履歴を受信するか否かを判断する受信判断手段を有することを特徴とする。
【手続補正８】
【補正対象書類名】明細書
【補正対象項目名】００１５
【補正方法】変更
【補正の内容】
【００１５】
従って、請求項４の発明によれば、画像形成装置は、印刷履歴を課金サーバに送信する場合、課金サーバが印刷履歴を受信するか否かを判断することによって、課金サーバが駆動しているか否かを検知することが可能となる。
【手続補正９】
【補正対象書類名】明細書
【補正対象項目名】００１６
【補正方法】変更
【補正の内容】
【００１６】
また、請求項５の発明によれば、請求項４記載の課金システムにおいて、画像形成装置は、印刷履歴を基に簡易情報を作成する簡易情報作成手段と、前記簡易情報を一時的に記録する簡易情報記録手段と、前記課金情報記録手段により記録された前記簡易情報を前記課金サーバに送信する簡易情報送信手段とを有することを特徴とする。
【手続補正１０】
【補正対象書類名】明細書
【補正対象項目名】００１７
【補正方法】変更
【補正の内容】
【００１７】
従って、請求項５の発明によれば、画像形成装置は、印刷履歴を基に簡易情報を作成し、簡易情報を一時的に記録することによって、容量が小さい不揮発性メモリのような記録媒体にも記録し、課金サーバが停止している場合にも、印刷履歴の一部を保持することが可能となる。
【手続補正１１】
【補正対象書類名】明細書
【補正対象項目名】００１８
【補正方法】変更
【補正の内容】
【００１８】
また、請求項６の発明によれば、請求項５記載の課金システムにおいて、画像形成装置は、前記受信手段により前記課金サーバが前記印刷履歴を受信しないと判断した場合、前記印刷履歴を前記課金サーバに送信せずに、前記印刷履歴の一部であるクライアントＰＣの情報と、印刷合計枚数とのデータを有する前記簡易情報を作成し、記録することを特徴とする。
【手続補正１２】
【補正対象書類名】明細書
【補正対象項目名】００１９
【補正方法】変更
【補正の内容】
【００１９】
従って、請求項６の発明によれば、課金サーバが停止している場合、印刷履歴を課金サーバに送信せずに、印刷履歴の一部であるクライアント名と、印刷合計枚数と、のデータを有する簡易情報を作成し、記録することによって、容量が小さい不揮発性メモリのような記録媒体にも記録し、印刷履歴の一部を保持することが可能となる。
【手続補正１３】
【補正対象書類名】明細書
【補正対象項目名】００２０
【補正方法】変更
【補正の内容】
【００２０】
また、請求項７の発明によれば、画像形成装置は、請求項５または６記載の課金システムにおいて、前記簡易情報記録手段により前記簡易情報を記録する際に、空き容量が十分に存在するか否かを判断する容量判断手段と、前記簡易情報記録手段により記録された前記簡易情報を消去する印刷履歴消去手段とを有することを特徴とする。
【手続補正１４】
【補正対象書類名】明細書
【補正対象項目名】００２１
【補正方法】変更
【補正の内容】
【００２１】
従って、請求項７の発明によれば、画像形成装置は、簡易情報を記録する際に、空き容量が十分に存在するか否かを判断し、記録された簡易情報を消去することによって、新しい簡易情報を記録するための十分な空き容量を確保することが可能となる。
【手続補正１５】
【補正対象書類名】明細書
【補正対象項目名】００２２
【補正方法】変更
【補正の内容】
【００２２】
また、請求項８の発明によれば、請求項７記載の課金システムにおいて、画像形成装置は、前記容量判断手段により前記空き容量が前記簡易情報を記録するために十分ではないと判断された場合、前記簡易情報記録手段により記録された前記簡易情報を印刷出力した後に消去することを特徴とする。
【手続補正１６】
【補正対象書類名】明細書
【補正対象項目名】００２３
【補正方法】変更
【補正の内容】
【００２３】
従って、請求項８の発明によれば、画像形成装置は、空き容量が簡易情報を記録するために十分ではないと判断した場合、記録された簡易情報を消去する前に印刷用紙に出力することによって、新しい簡易情報を記録するための十分な空き容量を確保し、文書の形で簡易情報を確保することが可能となる。
【手続補正１７】
【補正対象書類名】明細書
【補正対象項目名】００２４
【補正方法】変更
【補正の内容】
【００２４】
また、請求項９の発明によれば、請求項１記載の課金システムにおいて、前記課金サーバは、前記印刷履歴を基に課金情報を作成する第一の課金情報作成手段と、前記第一の課金情報作成手段により作成された前記課金情報を記録する第一の課金情報記録手段とを有することを特徴とする。
【手続補正１８】
【補正対象書類名】明細書
【補正対象項目名】００２５
【補正方法】変更
【補正の内容】
【００２５】
従って、請求項９の発明によれば、画像形成装置が記録された印刷履歴を課金サーバに送信した後に、課金サーバは、印刷履歴を基に課金情報を作成し、記録することによって、印刷ジョブの課金情報をユーザに提供し、課金サーバが停止している場合にも印刷処理を実行し、印刷履歴を画像形成装置内に記録することが可能となる。
また、請求項１０の発明によれば、請求項９記載の課金システムにおいて、前記課金サーバは前記簡易情報を基に課金情報を作成する第二の課金情報作成手段と、前記第二の課金情報作成手段により作成された前記課金情報を記録する第二の課金情報記録手段とを有することを特徴とする。
従って、請求項１０の発明によれば、画像形成装置は、印刷履歴を基に簡易情報を一時的に記録することによって、容量が小さい不揮発性メモリのような記録媒体にも記録し、課金サーバが停止している場合にも、印刷履歴の一部を保持することが可能となる。